(57)【要約】【課題】ユーザーの予定を管理するスケジュール管理機能に、クーポン管理機能を組み合わせることによって、クーポン等の利用機会の拡大を図る。【解決手段】価値情報の内容、利用可能場所、利用可能期間及び使用状態が紐付けた価値情報管理データを、ユーザー毎に複数まとめたクーポンホルダーデータとして、通信ネットワークを通じて配信するクーポン管理サーバー２と、クーポンホルダーデータをクーポン管理サーバー２から取得し、取得したクーポンホルダーデータに含まれる任意の価値情報を提示する機能を備えたスマートフォン１とを備え、情報処理端末は、スケジュール情報に基づいて、ユーザーの予定とクーポンの利用可能期間及びその内容とを合成して表示する。【選択図】  図４
2018045605.tif 000002
【特許請求の範囲】
【請求項１】
クーポン、ポイント又は特典サービスのいずれかを含む価値情報を利用するためのクーポン等利用システムであって、
前記価値情報の内容、利用可能場所、利用可能期間及び使用状態が紐付けられた価値情報管理データを、ユーザー毎に複数まとめたクーポンホルダーデータを、通信ネットワークを通じて配信する配信サーバーと、
前記クーポンホルダーデータを、前記通信ネットワークを通じて前記配信サーバーから取得し、取得したクーポンホルダーデータに含まれる任意の価値情報を提示する機能を備えた情報処理端末と
を備え、
前記情報処理端末は、
前記配信サーバーが配信する前記クーポンホルダーデータを、通信ネットワークを通じて取得し、蓄積するクーポンホルダー蓄積部と、
前記価値情報管理データを表示する表示部と、
ユーザーの予定に関する時刻情報及び予定内容の種別を、スケジュール情報として記憶保持するスケジュール記憶部と、
前記価値情報管理データに含まれる利用可能期間及び価値情報の内容を、前記ユーザーの予定として前記スケジュール情報に追加するクーポンスケジュール設定部と、
前記スケジュール情報に基づいて、前記ユーザーの予定と、前記価値情報の利用可能期間及びその内容とを合成して表示するカレンダー表示部と
を備えることを特徴とするクーポン等利用システム。
【請求項２】
前記カレンダー表示部は、現在の日にちを含むカレンダー表示機能を有し、前記カレンダー表示機能は、前記現在の日にちを境界として、該現在の日にちよりも後の月日部分に、前記クーポンホルダー蓄積部に格納された価値情報管理データの利用可能期間を表示するとともに、前記スケジュール記憶部に記憶されたスケジュール情報の表示をする
ことを特徴とする請求項１に記載のクーポン等利用システム。
【請求項３】
地図上の座標位置又は座標位置間の経路を指定する座標取得部と、
前記座標取得部で指定された座標位置又は経路に基づいて、前記スケジュール情報に含まれる前記ユーザーの予定に関する前記利用可能場所を参照し、利用可能な価値情報を抽出する検索部と、
前記検索部で抽出された価値情報を、前記座標取得部で指定された座標位置又は経路と関連づけて出力する出力部と
を備えることを特徴とする請求項１又は２に記載のクーポン等利用システム。
【請求項４】
クーポン、ポイント又は特典サービスのいずれかを含む価値情報の内容、利用可能場所、利用可能期間及び使用状態が紐付けられた価値情報管理データを、ユーザー毎に複数まとめたクーポンホルダーデータを、通信ネットワークを通じて配信する配信サーバーと、
前記クーポンホルダーデータを、前記通信ネットワークを通じて前記配信サーバーから取得し、取得したクーポンホルダーデータに含まれる任意の価値情報を提示する機能を備えた情報処理端末と
を備えたシステムにおいて、前記価値情報を利用するためのクーポン等利用プログラムであって、前記情報処理端末を、
前記配信サーバーが配信する前記クーポンホルダーデータを、通信ネットワークを通じて取得し、蓄積するクーポンホルダー蓄積部と、
前記価値情報管理データを表示する表示部と、
ユーザーの予定に関する時刻情報及び予定内容の種別を、スケジュール情報として記憶保持するスケジュール記憶部と、
前記価値情報管理データに含まれる利用可能期間及び価値情報の内容を、前記ユーザーの予定として前記スケジュール情報に追加するクーポンスケジュール設定部と、
前記スケジュール情報に基づいて、前記ユーザーの予定と、前記価値情報の利用可能期間及びその内容とを合成して表示するカレンダー表示部
として機能させることを特徴とするクーポン等利用プログラム。
【請求項５】
前記カレンダー表示部は、現在の日にちを含むカレンダー表示機能を有し、前記カレンダー表示機能は、前記現在の日にちを境界として、該現在の日にちよりも後の月日部分に、前記クーポンホルダー蓄積部に格納された価値情報管理データの利用可能期間を表示するとともに、前記スケジュール記憶部に記憶されたスケジュール情報の表示をする
ことを特徴とする請求項４に記載のクーポン等利用プログラム。
【請求項６】
前記情報処理端末を、さらに、
地図上の座標位置又は座標位置間の経路を指定する座標取得部と、
前記座標取得部で指定された座標位置又は経路に基づいて、前記スケジュール情報に含まれる前記ユーザーの予定に関する前記利用可能場所を参照し、利用可能な価値情報を抽出する検索部と、
前記検索部で抽出された価値情報を、前記座標取得部で指定された座標位置又は経路と関連づけて出力する出力部
として機能させることを特徴とする請求項４又は５に記載のクーポン等利用プログラム。
【請求項７】
クーポン、ポイント又は特典サービスのいずれかを含む価値情報の内容、利用可能場所、利用可能期間及び使用状態が紐付けられた価値情報管理データを、ユーザー毎に複数まとめたクーポンホルダーデータを、通信ネットワークを通じて配信する配信サーバーと、
前記クーポンホルダーデータを、前記通信ネットワークを通じて前記配信サーバーから取得し、取得したクーポンホルダーデータに含まれる任意の価値情報を提示する機能を備えた情報処理端末と
を備えたシステムにおいて、前記価値情報を利用するためのクーポン等利用方法であって、
前記情報処理端末において、前記配信サーバーが配信する前記クーポンホルダーデータを、通信ネットワークを通じて取得し、クーポンホルダー蓄積部に蓄積するステップと、
ユーザーの予定に関する時刻情報及び予定内容の種別を、スケジュール情報としてスケジュール記憶部に記憶保持するステップと、
クーポンスケジュール設定部が、前記価値情報管理データに含まれる利用可能期間及び価値情報の内容を、前記ユーザーの予定として前記スケジュール情報に追加するステップと、
前記スケジュール情報に基づいて、前記ユーザーの予定と、前記価値情報の利用可能期間及びその内容とを合成してカレンダー表示部に表示するステップと
を備えることを特徴とするクーポン等利用方法。
【請求項８】
前記カレンダー表示部は、現在の日にちを含むカレンダー表示機能を有し、前記カレンダー表示機能は、前記現在の日にちを境界として、該現在の日にちよりも後の月日部分に、前記クーポンホルダー蓄積部に格納された価値情報管理データの利用可能期間を表示するとともに、前記スケジュール記憶部に記憶されたスケジュール情報の表示をする
ことを特徴とする請求項７に記載のクーポン等利用方法。
【請求項９】
座標取得部が、地図上の座標位置又は座標位置間の経路を指定するステップと、
指定された前記座標位置又は経路に基づいて、検索部が、前記スケジュール情報に含まれる前記ユーザーの予定に関する前記利用可能場所を参照し、利用可能な価値情報を抽出するステップと、
出力部が、抽出された前記価値情報を、前記指定された座標位置又は経路と関連づけて出力するステップと
をさらに備えることを特徴とする請求項７又は８に記載のクーポン等利用方法。
【発明の詳細な説明】
【技術分野】
【０００１】
本発明は、クーポン、ポイント又は特典サービスのいずれかを含む価値情報を利用するためのクーポン等利用システム、クーポン等利用プログラム及びクーポン等利用方法に関する。
【背景技術】
【０００２】
近年、無線通信による情報通信を行うスマートフォンや携帯電話などの携帯型の情報処理端末が普及されており、このような携帯端末機器は、通話機能だけでなく、メールの送受信機能、デジタルカメラ機能、地図検索機能、スケジュール管理機能など多機能を備えるようになっている。
【０００３】
一方で、従来、クーポン、ポイント又は特典サービスなどの価値情報が集客や広告宣伝のために配布されており、上述したような情報処理端末の普及に伴い、電子化されたクーポンを情報処理端末に向けて配布し、情報処理端末を通じてクーポン等を利用するサービス形態も普及しつつある（特許文献１）。
【０００４】
ところで、各店舗やサービス媒体が配布するクーポンには、利用可能場所や利用期限が定めて、地域的・時期的な集客効果を図るのが一般的であり、これについては電子化されたクーポン等であっても、その利用可能地域を限定したり、資料期限を設ける場合が多い。
【先行技術文献】
【特許文献】
【０００５】
【特許文献１】特開２００８−１４６５１２号公報
【発明の概要】
【発明が解決しようとする課題】
【０００６】
しかしながら、クーポンを利用するユーザー側にしてみると、多数の店舗やサービスから配布されるクーポンが集められた所謂クーポンブックを入手しても、その利用可能場所や利用期限を管理するのはその作業が煩わしいばかりでなく、それを表示させ使用するための専用のアプリケーションが必要となることから、クーポンの管理のためだけにそのアプリケーションを起動したり、それを操作するための手順を覚えたりなどの煩わしさがあり、サービスの利用機会が限定的になる傾向があった。
【０００７】
そこで、本発明は、電子クーポンやポイント等の価値情報の利用に際し、ユーザーの予定を管理するスケジュール管理機能に、クーポン管理機能を組み合わせることによって、自己の予定管理と併せてクーポンの管理を行えるようにして、クーポン等の利用機会の拡大を図ることのできるクーポン等利用システム、クーポン等利用プログラム及びクーポン等利用方法を提供することを課題とする。
【課題を解決するための手段】
【０００８】
上記課題を解決するために、本発明は、クーポン、ポイント又は特典サービスのいずれかを含む価値情報を利用するためのクーポン等利用システムであって、価値情報の内容、利用可能場所、利用可能期間及び使用状態が紐付けられた価値情報管理データを、ユーザー毎に複数まとめたクーポンホルダーデータを、通信ネットワークを通じて配信する配信サーバーと、クーポンホルダーデータを、通信ネットワークを通じて配信サーバーから取得し、取得したクーポンホルダーデータに含まれる任意の価値情報を提示する機能を備えた情報処理端末とを備え、情報処理端末は、配信部が配信するクーポンホルダーデータを、通信ネットワークを通じて取得し、蓄積するクーポンホルダー蓄積部と、価値情報管理データを表示する表示部と、ユーザーの予定に関する時刻情報及び予定内容の種別を、スケジュール情報として記憶保持するスケジュール記憶部と、価値情報管理データに含まれる利用可能期間及び価値情報の内容を、ユーザーの予定としてスケジュール情報に追加するクーポンスケジュール設定部と、スケジュール情報に基づいて、ユーザーの予定と、価値情報の利用可能期間及びその内容とを合成して表示するカレンダー表示部とを備える。
【０００９】
また、本発明は、上記クーポン等利用システムにおいて、価値情報を利用するためのクーポン等利用方法であって、
（１）  情報処理端末において、配信部が配信するクーポンホルダーデータを、通信ネットワークを通じて取得し、クーポンホルダー蓄積部に蓄積するステップと、
（２）ユーザーの予定に関する時刻情報及び予定内容の種別を、スケジュール情報としてスケジュール記憶部に記憶保持するステップと、
（３）クーポンスケジュール設定部が、価値情報管理データに含まれる利用可能期間及び価値情報の内容を、ユーザーの予定としてスケジュール情報に追加するステップと、
（４）スケジュール情報に基づいて、ユーザーの予定と、価値情報の利用可能期間及びその内容とを合成してカレンダー表示部に表示するステップと
を備える。
【００１０】
これらの発明によれば、ユーザーの予定を管理するスケジュール管理機能に、クーポン管理機能を組み合わせているため、自己の予定管理と併せてクーポンの利用可能場所や利用期限を管理することができる。この結果、クーポンを管理するためだけの専用アプリケーションが不要となり、クーポン管理のためだけにその専用アプリケーションを操作するための手順を覚えたりなどの煩わしさを解消することができる。
【００１１】
上記発明において、カレンダー表示部は、現在の日にちを含むカレンダー表示機能を有し、前記カレンダー表示機能は、前記現在の日にちを境界として、該現在の日にちよりも後の月日部分に、前記クーポンホルダー蓄積部に格納された価値情報管理データの利用可能期間を表示するとともに、前記スケジュール記憶部に記憶されたスケジュール情報の表示をすることが好ましい。
【００１２】
この場合には、現在の日にちより後の月日部分に、ユーザーの予定を記載及び表示することが可能なので、手帳としてのスケジュール機能を利用することができるとともに、月日毎の利用可能なクーポン等を閲覧することができ、クーポン等を利用する際において多数のクーポンから検索する手間を省くことができ、目的とするクーポンを、容易に発見することができる。なお、現在の日にちよりも前の月日部分に、使用済みのクーポン等の履歴をスケジュールとともに残すことで、月日毎のユーザーの行動とともにクーポンの利用履歴を閲覧することができるので、日記帳としての実用性を高めることができる。
【００１３】
そして、これらの表示は、現在の日にちを境界として１つのカレンダーに表示されるため、日記帳とクーポンホルダーのＧＵＩを１つにまとめることができ、見やすさを向上させることができるとともに、表示面積を縮小でき、限られた面積の表示部を有効に活用することができる。
【００１４】
上記発明において、地図上の座標位置又は座標位置間の経路を指定する座標取得部と、座標取得部で指定された座標位置又は経路に基づいて、スケジュール情報に含まれるユーザーの予定に関する利用可能場所を参照し、利用可能な価値情報を抽出する検索部と、検索部で抽出された価値情報を、座標取得部で指定された座標位置又は経路と関連づけて出力する出力部とを備えることが好ましい。
【００１５】
この場合には、スケジュールに移動先などを指定したり、そこまでの経路を記入しておくことで、その移動先や経路付近で、且つそのスケジュールの日において利用可能なクーポンをピックアップしてユーザーに提示することができ、クーポンの検索を容易にできる。この結果、ユーザーによるクーポン利用の契機がより増大され、サービスの利用機会を拡大させることができる。
【００１６】
また、上述した本発明に係るクーポン等利用システム及びクーポン等利用方法は、所定の言語で記述されたクーポン等利用プログラムをコンピューター上で実行することにより実現することができる。すなわち、上記システムにおいて、クーポン等利用プログラムは、情報処理端末を、
価値情報を利用するためのクーポン等利用プログラムであって、情報処理端末を、配信部が配信するクーポンホルダーデータを、通信ネットワークを通じて取得し、蓄積するクーポンホルダー蓄積部と、
ユーザーの予定に関する時刻情報及び予定内容の種別を、スケジュール情報として記憶保持するスケジュール記憶部と、
価値情報管理データに含まれる利用可能期間及び価値情報の内容を、ユーザーの予定としてスケジュール情報に追加するクーポンスケジュール設定部と、
スケジュール情報に基づいて、ユーザーの予定と、価値情報の利用可能期間及びその内容とを合成して表示するカレンダー表示部
として機能させる。
【００１７】
このようなクーポン等利用プログラムを、ユーザー端末等のコンピューターやＩＣチップにインストールし、ＣＰＵ上で実行することにより、上述した各機能を有するクーポン等利用システムを容易に構築して、クーポン等利用方法を実施することができる。
【００１８】
このクーポン等利用プログラムは、例えば、通信回線を通じて配布することが可能であり、また、汎用コンピューターで読み取り可能な記録媒体に記録することにより、スタンドアローンの計算機上で動作するパッケージアプリケーションとして譲渡することができる。記録媒体として、具体的には、フレキシブルディスクやカセットテープ等の磁気記録媒体、若しくはＣＤ-ＲＯＭやＤＶＤ-ＲＯＭ等の光ディスクの他、ＲＡＭカードなど、種々の記録媒体に記録することができる。そして、このプログラムを記録したコンピューター読み取り可能な記録媒体によれば、汎用のコンピューターや専用コンピューターを用いて、上述したクーポン等利用システム及びクーポン等利用方法を簡便に実施することが可能となるとともに、プログラムの保存、運搬及びインストールを容易に行うことができる。
【発明の効果】
【００１９】
以上述べたように、この発明によれば、電子クーポンやポイント等の価値情報の利用に際し、ユーザーの予定を管理するスケジュール管理機能に、クーポン管理機能を組み合わせることによって、自己の予定管理と併せてクーポンの管理を行えるようにして、クーポン等の利用機会の拡大を図ることができる。
【図面の簡単な説明】
【００２０】
【図１】実施形態に係るクーポン等利用システムの全体構成を示す概念図である。
【図２】実施形態に係るスマートフォンの外観を示す正面図である。
【図３】実施形態に係るユーザー端末の内部構成を示すブロック図である。
【図４】実施形態に係るユーザー端末のクーポン及びスケジュール機能に係るモジュールを示すブロック図である。
【図５】実施形態に係る管理サーバーの内部構成を示すブロック図である。
【図６】実施形態に係るサービス提供端末の内部構成を示すブロック図である。
【図７】実施形態に係るクーポンホルダー機能のオフライン時に使用する場合の動作を示すシーケンス図である。
【図８】実施形態に係るクーポンホルダー機能のオンライン時に使用する場合の動作を示すシーケンス図である。
【図９】実施形態に係るクーポンホルダーの表示画面を示す説明図である。
【図１０】実施形態に係るスケジュール機能の表示画面を示す説明図であり、（ａ）は月表示を示し、（ｂ）は日表示を示す。
【図１１】実施形態に係るクーポンの表示画面を示す説明図であり、（ａ）はクーポンの内容を示し、（ｂ）〜（ｃ）はクーポンの情報から自分ノートを生成する画面遷移を示す。
【図１２】実施形態に係るクーポンマップ機能の表示画面を示す説明図であり、（ａ）は起点設定の操作を示し、（ｂ）は検索範囲設定の操作を示す。
【図１３】実施形態に係るクーポンマップ機能の表示画面を示す説明図であり、（ａ）はルート検索の操作を示し、（ｂ）は検索結果を示す。
【図１４】実施形態に係る自分ノートとクーポンマップとの連携を示す説明図であり、（ａ）は自分ノートの内容を示し、（ｂ）は連携されたクーポンマップを示す。
【発明を実施するための形態】
【００２１】
以下に添付図面を参照して、本発明に係るクーポン等利用システムの実施形態を詳細に説明する。図１は、本実施形態に係るクーポン等利用システムの全体構成を示す概念図である。図２は、本実施形態に係るユーザー端末であるスマートフォンの外観を示す正面図である。
【００２２】
（クーポン等利用システムの全体構成）
図１に示すように、本実施形態に係るクーポン等利用システムは、通信ネットワーク５を介して、クーポン管理サーバー２からユーザーが使用するスマートフォン１に、価値情報である電子クーポンを発行して、店舗Ｓ等における商品の販売又はサービスの提供について割引するなどのクーポンサービスを提供するシステムである。なお、本実施形態において価値情報とは、商品の販売又はサービスの提供に対して付加価値を有する情報であって、引換券、割引券、回数券、ポイント及び入場券、その他の特典サービスを受けられる等の情報が含まれる。
【００２３】
そして、本実施形態では、通信ネットワーク５上に、各ユーザーに対して電子クーポンを発行するクーポン管理サーバー２と、中継装置４と、中継装置４に接続された無線基地局６と、無線基地局６を通じて無線通信が可能なスマートフォン１と、店舗Ｓに設置されたサービス提供端末３とが配置されている。
【００２４】
通信ネットワーク５は、通信プロトコルＴＣＰ／ＩＰを用いて種々の通信回線（電話回線やＩＳＤＮ回線、ＡＤＳＬ回線、光回線などの公衆回線、専用回線、無線通信網）を相互に接続して構築される分散型の通信ネットワークであり、この通信ネットワークには、１０ＢＡＳＥ−Ｔや１００ＢＡＳＥ−ＴＸ等によるイントラネット（企業内ネットワーク）や家庭内ネットワークのＬＡＮの他、各種ＩＰ網が含まれる。また、通信ネットワーク５には、有線接続やＷｉｆｉ通信を介しての接続が可能であり、例えば、Ｗｉｆｉルーターや無線ＬＡＮルーターなどをアクセスポイントとして、これらと無線通信が可能な端末装置を接続することができる。
【００２５】
スマートフォン１は、各ユーザーがそれぞれ所有し、無線通信を利用した移動端末であり、一般的な基地局等の中継点と無線で通信し、通話やデータ通信等の通信サービスを移動しつつ受けることができる。また、スマートフォン１は、無線基地局６との間で無線通信を行う機能と、アプリケーションを実行する機能も備えており、通信ネットワーク５を通じて、クーポン管理サーバー２からクーポンホルダー情報を取得し、取得したクーポンホルダーに含まれる各種クーポンを画面上に表示する。本実施形態において、クーポンには、クーポンを特定するＩＤ等の情報が含まれ、このＩＤとしては、例えばクーポンホルダーをコード化した、バーコードやＱＲコード（登録商標）等の二次元コードで表記されていてもよい。
【００２６】
スマートフォン１の通信方式としては、例えば、ＬＴＥ、４Ｇ、３Ｇ、ＦＤＭＡ方式、ＴＤＭＡ方式、ＣＤＭＡ方式、Ｗ−ＣＤＭＡの他、ＰＨＳ（Personal Handyphone System）方式等が挙げられる。また、上述した通信方式とは別の無線通信インターフェースとして、無線ＬＡＮの規格等に準じたＩＰパケットの送受による通信方式に対応した機能も備えている。さらに、このスマートフォン１は、デジタルカメラ機能、アプリケーションソフトの実行機能、或いはＧＰＳ機能等の機能が搭載され、また、スマートフォン１には、Ｂｌｕｅｔｏｏｔｈ（登録商標）送受信部やＷｉｆｉ送受信部（Ｗｉｒｅｌｅｓｓ  Ｆｉｄｅｌｉｔｙ）が設けられる。
【００２７】
無線基地局６は、中継装置４を通じて通信ネットワーク５に接続され、スマートフォン１との間で無線通信接続を確立し、スマートフォン１による通話やデータ通信を提供する装置である。中継装置４は、通信ネットワーク５に接続するためのモデムやターミナルアダプタ、ゲートウェイ装置等のノード装置であり、通信経路の選択や、データ（信号）の相互変換を行い、無線基地局６と、通信ネットワーク５との間における中継処理を行う。なお、これら無線基地局６や中継装置４としては、無線ルーターやアクセスポイント装置なども含まれる。
【００２８】
クーポン管理サーバー２は、クーポンホルダーの発行や、その利用状況の収集等を行うサーバー装置であり、例えば、Ｗｅｂサーバー及びアプリケーションサーバー、データベースサーバーなど機能を分配された複数の装置からなるサーバー群で構成されている。本実施形態では、クーポンホルダーや店舗情報を表示させるためのデータを、Ｗｅｂサーバー機能により閲覧可能にインターネット上に配置し、専用のビューアーソフトやブラウザソフトにより、当該店舗情報のＵＲＬにアクセスすることによってクーポンや店舗情報を表示可能とする。表示されたクーポンには、その識別子であるクーポンＩＤなどが数字やバーコードなどで表示されており、サービス提供端末３のバーコードリーダー３１などでそのバーコード等を読み取ることで、当該バーコードに応じたクーポンによる割引サービス、商品引換サービス、又は入場サービスを受けることができる。
【００２９】
店舗Ｓは、例えば、コンビニエンスストアや飲食店等において、販売サービスや飲食を提供する施設であり、店員がレジ等の決済処理を担当している。そして、この店舗Ｓ内に設置されたサービス提供端末３を利用して、クーポンホルダーを提示した場合に、サービスに係る商品や飲食等に対して、割引サービスを提供している。
【００３０】
（各装置の内部構成）
次いで、各装置の内部構成について説明する。
図３及び図４は、本実施形態に係るスマートフォン１の内部構造を示すブロック図であり、図５は、本実施形態に係るサービス提供端末３の内部構造を示すブロック図である。また、図６は、本実施形態に係るクーポン管理サーバー２の内部構造を示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００３１】
（１）スマートフォン１の内部構造
スマートフォン１は、図３に示すように、無線インターフェース１１と、アプリケーション実行部１４と、出力インターフェース１３と、入力インターフェース１２と、メモリ１５とを備えている。
【００３２】
入力インターフェース１２は、操作ボタンやタッチパネル、ジョグダイヤルなどユーザー操作を入力するデバイスであり、出力インターフェース１３は、ディスプレイやスピーカーなど、映像や音響を出力するデバイスである。特に、この出力インターフェース１３には、液晶ディスプレイなどの表示部１３ａが含まれており、アプリケーションにより構築されるＧＵＩ（Ｇｒａｐｈｉｃａｌ  Ｕｓｅｒ  Ｉｎｔｅｒｆａｃｅ）がこの表示部１３ａに表示される。
【００３３】
メモリ１５は、ＯＳ（Ｏｐｅｒａｔｉｎｇ  Ｓｙｓｔｅｍ）や各種のアプリケーション用のプログラム、その他のデータ等などを記憶する記憶装置である。このメモリ１５には、地図データベース１５ａと、スケジュールデータベース１５ｂと、クーポンホルダーデータベース１５ｃとが格納されている。
【００３４】
無線インターフェース１１は、通話やデータ通信を行うための移動通信用のプロトコルによる無線通信機能と、例えば無線ＬＡＮ等のデータ通信用のプロトコルによる無線通信機能とを備えている。なお、この無線インターフェースは、モバイルコンピューターやＰＤＡにおいては、無線ＬＡＮアダプタ等により実現することができる。なお、この無線インターフェース１１には、Ｗｉｆｉ等の無線ＬＡＮの他、赤外線通信、Ｂｌｕｅｔｏｏｔｈ（登録商標）等の近距離通信のインターフェースが含まれる。
【００３５】
アプリケーション実行部１４は、一般のＯＳやブラウザソフト、電子メール、画像表示ソフトなどのアプリケーションを実行するモジュールであり、通常はＣＰＵ等により実現される。このアプリケーション実行部１４でアプリケーションを実行することにより、ブラウザ機能などが構成される。
【００３６】
ブラウザ機能は、ブラウザソフトを実行することによって構築され、Ｗｅｂページを閲覧するためのモジュールであり、インターネットからＨＴＭＬ（HyperText Markup Language）ファイルや画像ファイルなどをダウンロードし、レイアウトを解析して表示・再生する。また、このブラウザ機能には、ＧＵＩ機能が備えられており、ユーザーに対する画面表示と、その画面上におけるクリック操作や文字入力などを受け付ける。本実施形態において、ブラウザ機能は、クーポン管理サーバー２から取得したクーポンホルダーや店舗情報をスマートフォン１の表示部１３ａに表示させる。
【００３７】
アプリケーション実行部１４でクーポンアプリケーションが実行されることにより、種々の機能モジュールを仮想的に構築され、構築された各機能モジュールによって、クーポン利用に関する処理や、各部の動作制御、ユーザー操作に対する種々の処理が行われる。
【００３８】
具体的に、アプリケーション実行部１４は、クーポンアプリケーションが実行されることによって、データを取得するモジュールとして、店舗情報取得部１４ｆと、地図情報取得部１４ｇと、クーポンホルダー取得部１４ｈとを備え、データを管理・表示するモジュールとして、データ管理部１４ｅと、スケジュール管理部１４ｄと、表示データ生成部１４ｃと、表示制御部１４ａとを備え、これらの各モジュールの動作を制御する動作制御部１４ｂと、クーポンスケジュール設定部１４ｉを備える。
【００３９】
店舗情報取得部１４ｆは、店舗ＩＤに紐付けられた店舗情報をダウンロードして、クーポンホルダーデータベース１５ｃに関連情報として蓄積するモジュールである。地図情報取得部１４ｇは、ネットワーク上から地図情報をダウンロードして地図ＤＢ１５ａに蓄積するモジュールである。クーポンホルダー取得部１４ｈは、クーポンホルダーに関する情報をダウンロードして、クーポンホルダーデータベース１５ｃに蓄積するモジュールである。
【００４０】
データ管理部１４ｅは、各取得部１４ｆ〜１４ｈで取得された各種データをメモリ１５内に格納するとともに、メモリ１５内に格納された各データベースのデータを参照して読み出すモジュールである。データ管理部１４ｅは、あるデータを参照する際、先ず、ネットワークが接続可能かどうかを照合し、接続可能であればサーバーにアクセスし、ローカルに格納されているデータよりも新しい情報があればそれをダウンロードした後で、参照に係るデータとして読み出す一方、ネットワークが接続不能である場合には、直ちにメモリ１５内にある情報のうち、最新のデータを読み出す。
【００４１】
スケジュール管理部１４ｄは、ユーザーの予定に関する時刻情報及び予定内容の種別を、スケジュール情報として管理するモジュールであり、スケジュール情報はスケジュールデータベース１５ｂから読み出し、表示年月日に合わせて情報を抽出して表示データ生成部１４ｃに送出する。クーポン管理部１４ｊは、クーポンホルダーデータベース１５ｃに格納されているクーポンホルダーに含まれる各クーポン（又は店舗）の管理を行うモジュールである。各クーポンに関する情報は、クーポンスケジュール設定部１４ｉに入力される。
【００４２】
クーポンスケジュール設定部１４ｉは、クーポン管理データに含まれる利用可能期間や利用可能場所、価値情報の内容を、ユーザーの予定としてスケジュール情報に追加するモジュールである。具体的にクーポンスケジュール設定部１４ｉは、クーポン管理部１４ｊで管理されている各クーポンの使用期限及び利用可能場所をスケジュールの日程及び場所に置き換えて、スケジュールのレコードとしてスケジュール管理部１４ｄに受け渡す。
【００４３】
表示データ生成部１４ｃは、ディスプレイに表示させる画面情報を画像データとして生成するモジュールである。この表示データ生成部１４ｃは、表示データを生成する際、グラフィックインターフェースの機能も構成する。また、表示データ生成部１４ｃは、スケジュール管理部１４ｄで管理されるスケジュール情報に基づいて、ユーザーの予定と、各クーポンの利用可能期間及びその内容とを合成して表示するカレンダー表示部としての機能も果たす。
【００４４】
特に、表示データ生成部１４ｃは、現在の日にちを含むカレンダー表示機能を有し、このカレンダー表示機能は、現在の日にちを境界として、現在の日にちよりも後の月日部分に、前記クーポンホルダー蓄積部に格納されたクーポンの利用可能期間を表示するとともに、スケジュールデータベース１５ｂに記憶されたスケジュール情報を表示する。
【００４５】
表示制御部１４ａは、表示データ生成部１４ｃが生成した表示データを出力インターフェース１３のディスプレイに表示させるモジュールである。本実施形態では、この表示制御部１４ａは、ＧＵＩとして表示データをタッチパネルのディスプレイに表示させ、入力インターフェース１２のタッチパネルを通じて入力されたユーザー操作を動作制御部１４ｂに入力する。
【００４６】
（２）クーポン管理サーバー２の内部構造
クーポン管理サーバー２は、図５に示すように、クーポンホルダーの発行や消し込み処理等を行う運用や、クーポンホルダーの配信等を行うサーバー装置であり、単一のサーバー装置としてもよいし、複数のサーバー装置で構成してもよい。
【００４７】
クーポン管理サーバー２には、通信インターフェース２３と、制御部２１と、データベース群である記憶部２２とを備えている。記憶部２２は、店舗情報データベース２２１と、クーポンホルダーデータベース２２２と、ユーザー情報データベース２２３とを備えている。
【００４８】
店舗情報データベース２２１には、店舗に関する情報が店舗ＩＤ毎に蓄積されているとともに、各店舗で利用可能なクーポンの管理情報も含まれている。具体的には、各店舗の店舗ＩＤに紐付けられて、店舗情報と対応するクーポンＩＤが蓄積されている。クーポンホルダーデータベース２２２は、クーポンホルダーに関する情報を蓄積するデータベースであり、クーポンホルダーを識別する識別情報であるクーポンＩＤに、サービス内容、使用可能場所、使用期限、使用済みフラグ等の情報が関連づけて蓄積されている。ユーザー情報データベース２２３は、ユーザーＩＤ、パスワード等の認証情報の他、居住地域や年令等のユーザーの属性に関する情報、クーポン等の利用履歴などが蓄積されている。
【００４９】
クーポン管理サーバー２の通信インターフェース２３は、通信ネットワーク５を通じてスマートフォン１及びサービス提供端末３との間でデータの送受信を行う通信インターフェースである。この通信インターフェース２３を通じて、例えば、サービス提供端末３で利用されたクーポン情報などが受信される。
【００５０】
制御部２１は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、各部の動作制御、ユーザー操作に対する種々の処理を行っている。本実施形態において、制御部２１は、店舗情報配信部２１２と、クーポン発行部２１３と、利用情報取得部２１４と、同期処理部２１６と、消込処理部２１５とを備えている。
【００５１】
クーポン発行部２１３は、商品又はサービスに対する割引券や商品引換券等のクーポンを特定するクーポンＩＤを生成するモジュールであり、生成されたクーポンＩＤは、クーポンホルダーデータベース２２２に蓄積される。また、クーポン発行部２１３は、発行したクーポンの内容を示すクーポンＩＤに基づいてＵＲＬを生成する。このＵＲＬを生成する機能では、クーポン発行部２１３から取得したクーポンＩＤに基づいて、各クーポンＩＤに紐付けられた店舗情報が格納されているネットワーク上のアドレスを示すＵＲＬを生成する。本実施形態では、スマートフォン１のアクセス先となるアドレスと、クーポンＩＤを暗号化した数値とを組み合わせたＵＲＬを生成する。そして、ここで生成されたＵＲＬ情報は、ユーザー情報データベース２２３及びクーポンホルダーデータベース２２２に蓄積される。
【００５２】
また、クーポン発行部２１３は、各スマートフォン１に対して、各クーポンホルダーのＵＲＬ情報を配信する機能を有している。本実施形態において、クーポン発行部２１３は、電子メールやホームページ等を通じて配信する他、例えば、ダウンロードアプリケーションなどの専用アプリケーションを用いて、上記無線通信リンクを通じて、クーポン閲覧用のＵＲＬ情報を各スマートフォン１に配信している。
【００５３】
利用情報取得部２１４は、スマートフォン１やサービス提供端末３からの各種データを取得するモジュールであり、取得した情報がバーコードリーダー３１から読み取られたクーポンＩＤである場合には、そのデータを同期処理部２１６に送信したり、クーポンを利用済みとするために消込処理部２１５に送信する。
【００５４】
消込処理部２１５は、スマートフォン１から受信された同期要求に基づいて、クーポンホルダーデータベース２２２内に蓄積されたクーポンホルダーに対して、使用済みフラグをオンにするなどの、消し込み処理を実行するモジュールである。なお、消込処理部２１５は、クーポンホルダーに使用期限を設定し、使用期限を経過した際にも消し込み処理を行ってもよい。
【００５５】
同期処理部２１６は、スマートフォン１側にダウンロードされたクーポンホルダーと、クーポンホルダーデータベース２２２に蓄積されたクーポン情報とを同期させるモジュールであり、オフライン状態にあるスマートフォン１で使用されたクーポンホルダーについての同期要求に応じて、そのクーポンホルダーの使用済みフラグの有無を参照して、クーポン管理サーバー２側とスマートフォン１側のクーポンホルダーの同一性を担保する。
【００５６】
（３）サービス提供端末３の内部構造
図６に示すように、サービス提供端末３には、制御部３２４と、通信インターフェース３２１と、利用情報通知部３２２と、メモリ３２３と、入力インターフェース３１３と、出力インターフェース３１２とを備えている。
【００５７】
通信インターフェース３２１は、データ通信を行うための通信インターフェースであり、無線等による非接触通信や、ケーブル，アダプタ手段等により接触（有線）通信をする機能を備えている。また、非接触通信としては、Ｗｉｆｉ、Ｂｌｕｅｔｏｏｔｈ（登録商標）等の近距離通信のインターフェースが含まれる。
【００５８】
本実施形態において、通信インターフェース３２１は、通信ネットワーク５を通じて、クーポン管理サーバー２に対して、利用されたクーポンＩＤに関する同期要求を送信する。
【００５９】
メモリ３２３は、ＯＳ（Operating System）や本実施形態に係るクーポンホルダーの使用済み処理或いは同期処理を行うためのプログラム、その他のデータ等などを記憶する記憶装置である。
【００６０】
入力インターフェース３１３は、テンキー３１３ａやタッチパネルなどユーザー操作を入力するデバイスであり、出力インターフェース３１２は、ディスプレイである表示部３１２ａやスピーカーなど、映像や音響を出力するデバイスである。
【００６１】
制御部３２４は、ＣＰＵやＤＳＰ（Digital Signal Processor）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、画像データに関する処理や、各部の動作制御、ユーザー操作に対する種々の処理を行うモジュールである。
【００６２】
そして、本実施形態において、制御部３２４には、クーポン管理部３２４ａと、駆動制御部３２４ｂとを備えている。クーポン管理部３２４ａは、使用されたクーポンホルダーの情報を処理するモジュールであり、例えば、利用情報通知部３２２を制御して、クーポン管理サーバー２とデータを同期させたり、クーポン管理サーバー２から受信した同期処理に関する結果情報を出力させたりする。
【００６３】
駆動制御部３２４ｂは、サービス提供端末３内の各機能の動作を制御するモジュールであり、バーコードリーダー３１を駆動させて、スマートフォン１に表示されたクーポンＩＤを読み取ったりする。
【００６４】
利用情報通知部３２２は、各種のデータを送信するモジュールであり、本実施形態では、読み取ったクーポンＩＤに基づくクーポンホルダーの情報や、出力されたクーポンホルダーに関する情報をクーポン管理サーバー２に通知する。
【００６５】
（情報抽出処理及び表示データ生成処理）
図９に示すように、クーポンは、画像や文字情報などの表示データ及び有効期間、空席情報、特別優待等の内部データが含まれる。また、各クーポンにはそのクーポンや店舗に関するＷｅｂページなど、クーポン管理サーバー２に蓄積された店舗詳細情報へのリンクが貼られており、クーポン管理サーバー２にアクセスして店舗詳細情報を取得して端末内のクーポンデータに入れ込んで表示させる。このため、オフライン状態にある場合には、サーバーからの店舗詳細情報が取得又は更新されないこととなるが、クーポンデータ自体は端末内部に格納されていることから、オフライン環境下でも使用が可能となっている。なお、使用履歴なども端末側に保持されており、オンライン時にバックアップやマーケティング解析等の目的でサーバーにデータを送信する。
【００６６】
本実施形態において、ユーザーの予定に関する位置情報、時刻情報及び予定内容の種別は、スケジュール情報としてスケジュールデータベース１５ｂに記憶保持される。このスケジュール情報は、各ユーザーがカスタマイズ可能であり、図２及び図１０（ａ）に示すようなカレンダーＵＩ４０２に表示される。
【００６７】
具体的に、表示制御部１４ａによるカレンダーＵＩ４０２は、現在の日にちを含むカレンダー表示機能であり、現在の日にちを示すグリッド４０５を境界として、現在の日にちよりも前の月日部分４０４をデータ蓄積部１２２に格納された画像やクーポンのサムネイルの一覧表示とし、現在の日にちよりも後の月日部分４０６に、スケジュール記憶部１２１に記憶されたスケジュール情報を表示する。
【００６８】
特に、本実施形態では、カレンダーＵＩ４０２は、現在の日にちよりも前の月日部分４０４には、クーポンの使用履歴を管理する領域となっており、現在の日にちよりも後の月日部分４０６は、未使用のクーポンを推奨する領域となっている。
【００６９】
月日部分４０４は、自分自身の出来事など、プライベートな日記を記録し表示・整理する「自分ノート」として利用可能となっている。本実施形態においてこの自分ノートは、図１１（ａ）〜（ｃ）に示すように、クーポンの使用履歴と、その日一日があったかなどと一緒に記録されるようになっている。この自分ノートでは、その日に使用されたクーポンと、そのクーポンに紐付けられている店舗情報（場所や時間帯、メニューなど）を抽出し、ユーザー自身の日記として記録できるようになっている。
【００７０】
詳述すると、各カレンダーＵＩ４０２において、各日にちのグリッドにはその日に利用可能なクーポンの内容がサムネイルとして表示されている。このサムネイルは、本実施形態では、クーポンが利用可能なクーポンを示す特徴的な縮小写真が自動的に整理されて配列されており、例えば、そのクーポンが利用可能な店舗の特徴を示すメニューやサービス内容となっている。このサムネイルは、クーポンの期限をカレンダーに反映し、期限切れの日付に「この日まで！」といったメッセージとともに予め表示することにより、ユーザーの使い逃しを回避する。なお、この同日付に該当するクーポンが複数ある場合には、表示される優先順位を種々のルールで変更することができる。
【００７１】
例えば、ユーザーの予定に合わせて、カレンダーで進めるクーポンが適したものに自動で変更される。例えば、スケジュールに「××駅」周辺に行く予定を登録すると、その「××駅」の周辺で利用可能なクーポンが、月表示のカレンダー中に、その予定の日にちにサムネイルとして表示される。その他の並べ替え方法としては、値段の安い店を優先的に表示したり、低カロリー中心の店を優先的に表示したり、近い範囲などの地理的条件を優先的に表示したりすることができる。
【００７２】
また、図１０（ｂ）に示すように、日表示のカレンダーにクーポンの詳細を表示させることもできる。例えば、ダウンロードしたクーポンの中に、利用可能な時間帯を設定しておくと、その時間だけ割引きを強化したり、ネットワークを使用することによって、その店舗の空き時間などを調べることもできる。クーポン自体に時間帯の概念を導入することによって、カレンダーの一日表示のとき、使える時間帯の表示、割引タイムなどをユーザーが見られることによって、お店側が来て欲しい時間帯にクーポンを届けることができる。
【００７３】
なお、このように時間帯単位でクーポン利用可能期間を設定することによって、クーポンにはカレンダーの機能で時間の割引に関する情報を付加できるようになる。お店側はいつでもサーバーにあるクーポンへ情報の追加、更新を行うことができ、ユーザーは任意のタイミングでダウンロードしたクーポン情報を更新して使うことができる。具体的には、クーポン管理サーバー２では、店舗側からクーポンに対して空席情報、値段設定、プレゼント、そのほか自由なサービス情報をいつでも付加するようにリアルタイムで更新をできるようになっている。
【００７４】
これに対して、ユーザーは、空席検索、特別優待、予約可能な情報が自分の持っているクーポンで更新されていないか、持っているクーポン情報を更新して調べることができる。クーポンの情報には様々なデータを付加することができるため、お店側がクーポンに「空席」の情報を付け、ユーザーが「空席検索」を押したときに、クーポンホルダーをアップデートして、情報を見ることができる。なお、特定のお店のクーポン情報を取得するのではなく、内部保存されているクーポンすべてを更新する。そのため、表示のタイミングではオフラインでも使用できることとなる。
【００７５】
（クーポン等利用方法）
以上の構成を有するクーポン等利用システムを動作させることによって、価値情報を発行する方法を実施することができる。図７は、本実施形態に係るクーポン等利用方法を示すフローチャート図である。
【００７６】
先ず、スマートフォン１を操作して、クーポンホルダーのダウンロードを行う。具体的には、スマートフォン１を操作することによって、クーポン管理サーバー２に対してクーポンホルダーを要求し（Ｓ２０１）、クーポン管理サーバー２側では、この要求を受けてクーポンホルダーを生成する（Ｓ１０１）。クーポン管理サーバー２は、作成されたクーポンホルダーをスマートフォン１に配信する（Ｓ１０２）。これを受けて、クーポン管理サーバー２は、ダウンロードしたクーポンホルダーを保存する（Ｓ２０２）。
【００７７】
そして、クーポンを利用する場合には、ユーザーは、利用しようとする店舗において当該店舗の店舗ＩＤに紐付けられたクーポンを、ディスプレイに表示して（Ｓ２０３）、店舗側に対して提示する。この提示したクーポンに対する店舗側の承認作業としては、店舗側の設備によって異なり、例えば、バーコードリーダー３１等を備え、クーポン管理サーバー２と通信ができる場合には（ステップＳ３０２における”Ｙ”）、ディスプレイに表示されたバーコードを読み取って、その結果を利用情報としてサーバー側に送信する（Ｓ３０３）ことで、サーバー側の消し込み処理を実行する（Ｓ１０３）。一方、店舗側にサーバーとの通信設備がない場合には（ステップＳ３０２における”Ｎ”）、表示部１３ａに表示されたクーポンに対して消し込み処理を店舗Ｓの店員が操作するなどして、端末側の消し込み処理を実行する（Ｓ２０４）。
【００７８】
そして、周期的に、或いは一定の条件下で、スマートフォン１のクーポンホルダーと、クーポン管理サーバー２側のクーポンホルダー情報との同期を図る処理を実行する。具体的には、スマートフォン１から同期要求をクーポン管理サーバー２に向けて送信し（Ｓ２０５）、これを受けてクーポン管理サーバー２側では、同期処理が開始される（Ｓ１０４）。この同期処理では、クーポン管理サーバー２のデータベースを参照し（Ｓ１０５）、クーポン管理サーバー２とサービス提供端末３との間で実行された消し込み操作を読み出し、これを反映させるべく、スマートフォン１側のクーポンホルダーとの同期を行う（Ｓ１０６，Ｓ２０６）。
【００７９】
（変更例）
なお、上述した実施形態では、クーポンホルダーをスマートフォン１側にダウンロードして、オフラインの環境下でもクーポンを利用できる場合を例に説明したが、通信環境が整っている場合には、オンラインによりリアルタイムにクーポン管理サーバー２との同期を取るようにしてもよい。
【００８０】
詳述すると、先ず、スマートフォン１を操作して、クーポンホルダーのダウンロードを行う。具体的には、スマートフォン１を操作することによって、クーポン管理サーバー２に対してクーポンホルダーを要求し（Ｓ５０１）、クーポン管理サーバー２側では、この要求を受けてクーポンホルダーを生成する（Ｓ４０１）。クーポン管理サーバー２は、作成されたクーポンホルダーをスマートフォン１に配信する（Ｓ４０２）。これを受けて、スマートフォン１は、ダウンロードしたクーポンホルダーを保存する（Ｓ５０２）。
【００８１】
そして、クーポンを利用する場合には、ユーザーは、利用しようとする店舗において当該店舗の店舗ＩＤに紐付けられたクーポンを、ディスプレイに表示して（Ｓ５０３）、店舗側に対して提示する。この提示したクーポンに対し、店舗側は承認作業を行う。ここでは、この承認作業として、表示部１３ａに表示されたクーポンに対して消し込み処理を店舗Ｓの店員が操作するなどして（Ｓ６０１）、オンラインによる消し込み処理を実行する（Ｓ５０４）。このオンラインによる消し込み処理に応じて、クーポン管理サーバー２側では、データベース上におけるデータをリアルタイムで更新する（Ｓ４０３）。このクーポン管理サーバー２側でのデータベース更新をスマートフォン１側に反映させるために、同期処理を実行する（Ｓ４０６，Ｓ５０６）。
【００８２】
（クーポンマップ機能）
次いで、本実施形態に係るシステムに備えられるクーポンマップ機能について説明する。図１２〜図１８は、本実施形態に係るクーポンマップ機能の説明図である。
【００８３】
クーポンマップ機能は、各クーポンが利用可能な位置情報を地図上で検索し、その検索結果を表示する機能である。具体的には、地図上の座標位置又は座標位置間の経路を指定する座標取得部１４１ａと、座標取得部１４１ａで指定された座標位置又は経路に基づいて、スケジュール情報に含まれるユーザーの予定に関する利用可能場所を参照し、利用可能なクーポンを抽出するデータ検索部１４１ｂとを備えている。
【００８４】
そして、表示データ生成部１４ｃは、データ検索部１４１ｂで抽出されたクーポンを、座標取得部１４１ａで指定された座標位置又は経路と関連づけて、表示データを生成、表示制御部１４ａ及び出力インターフェース１３を通じて出力する。
【００８５】
具体的な操作について説明する。先ず図１２（ａ）に示すように、画面Ｗ７上で起点となる場所にポイントＰ２１を設定し、このポイントＰ２１を中心として検索範囲を示す円Ｐ２２をマップ上に設定する。このポイントＰ２１の設定はユーザーのタッチ操作で座標位置を特定してもよく、ＧＰＳ等で得られる現在位置であってもよい。同図（ｂ）に示すように、検索される距離は数値として見えるようにしてもよく、また一定の距離毎に何件検索できるのか分かるようにしてもよい。さらに、距離の他に「徒歩○分」等の付加情報を追加表示してもよい。本実施形態では、マップ上を所定時間以上押下する「長押し」によって周辺検索が開始され、ポイントＰ２１を中心として円Ｐ２２が自動的に拡大していくようになっている。この拡大の最中にあっても、スポットが何件検索されるかが分かるようにする。
【００８６】
次いで、この検索範囲の設定によって、円Ｐ２２内に存在するスポットが検索される。なお、この検索範囲はユーザーがピンチイン/ アウトで変更することができる。このピンチイン/ アウトでは、円Ｐ２２の半径を拡縮してもよく、円Ｐ２２の半径を一定にして地図の方を拡縮するようにしてもよい。
【００８７】
また、図１３に示すように、任意の２つのポイントＰ０及びＰ１を、ユーザー操作に基づいてマップ上に設定し、そのポイント間における経路を検索し、その結果を検索ルートＰ３として表示する。その表示されたルート沿いの一定範囲から店舗を検索して表示する。なお、このとき、２点間のルート検索の応用として、「○○線の沿線」から店舗を検索するというようにしてもよい。
【００８８】
そして、本実施形態において、本実施形態において、このクーポンマップ機能は自分ノートと連携できるようになっている。例えば、予定をスケジュールデータベース１５ｂに登録しておくと、ユーザーが検索しなくても現在地から目的地との間で使用できるクーポンを自動的に表示する。ルート検索とクーポン情報を組み合わせることで、店舗側にもユーザーの目に触れる機会が増えるというメリットをもたらすことができる。さらに、スケジュールに予定が２つ以上入っているときには、その予定に係る位置間での移動が必要な際に、立ち寄れる場所を所持しているクーポンから検索して表示する。このとき、２つの予定間の時間間隔と移動距離とを考慮して検索範囲を拡縮するようにしてもよい。
【００８９】
（作用・効果）
以上説明した本実施形態に係るシステムによれば、ユーザーの予定を管理するスケジュール管理機能に、クーポン管理機能を組み合わせているため、自己の予定管理と併せてクーポンの利用可能場所や利用期限を管理することができる。この結果、クーポンを管理するためだけの専用アプリケーションが不要となり、クーポン管理のためだけにその専用アプリケーションの操作するための手順を覚えたりなどの煩わしさを解消することができる。
【００９０】
特に、本実施形態では、現在の日にちより後の月日部分に、ユーザーの予定を記載及び表示することが可能なので、手帳としてのスケジュール機能を利用することができるとともに、月日毎の利用可能なクーポン等を閲覧することができ、クーポン等を利用する際において多数のクーポンから検索する手間を省くことができ、目的とするクーポンを、容易に発見することができる。なお、現在の日にちよりも前の月日部分に、使用済みのクーポン等の履歴をスケジュールとともに残すことで、月日毎のユーザーの行動とともにクーポンの利用履歴を閲覧することができるので、日記帳としての実用性を高めることができる。
【００９１】
そして、これらの表示は、現在の日にちを境界として１つのカレンダーに表示されるため、日記帳とクーポンホルダーのＧＵＩを１つにまとめることができ、見やすさを向上させることができるとともに、表示面積を縮小でき、限られた面積の表示部を有効に活用することができる。
【００９２】
さらに、本実施形態では、指定された座標位置又は経路に基づいて、スケジュール情報に含まれるユーザーの予定に関する利用可能場所を参照し、利用可能なクーポンを抽出して表示するクーポンマップ機能を備えるため、スケジュールに移動先などを指定したり、そこまでの経路を記入しておくことで、その移動先や経路付近で、且つそのスケジュールの日において利用可能なクーポンをピックアップしてユーザーに提示することができ、クーポンの検索を容易にできる。この結果、ユーザーによるクーポン利用の契機がより増大され、サービスの利用機会を拡大させることができる。
【００９３】
また、本発明のクーポン等利用プログラムによれば、このプログラムをユーザー端末等のコンピューターやＩＣチップにインストールし、ＣＰＵ上で実行することにより、上述した各機能を有するクーポン等利用システムを容易に構築して、クーポン等利用方法を実施することができる。
【００９４】
さらに、このクーポン等利用プログラムは、例えば、通信回線を通じて配布することが可能であり、また、汎用コンピューターで読み取り可能な記録媒体に記録することにより、スタンドアローンの計算機上で動作するパッケージアプリケーションとして譲渡することができる。記録媒体として、具体的には、フレキシブルディスクやカセットテープ等の磁気記録媒体、若しくはＣＤ-ＲＯＭやＤＶＤ-ＲＯＭ等の光ディスクの他、ＲＡＭカードなど、種々の記録媒体に記録することができる。そして、このプログラムを記録したコンピューター読み取り可能な記録媒体によれば、汎用のコンピューターや専用コンピューターを用いて、上述したクーポン等利用システム及びクーポン等利用方法を簡便に実施することが可能となるとともに、プログラムの保存、運搬及びインストールを容易に行うことができる。
【符号の説明】
【００９５】
Ｐ０，Ｐ１…ポイント
Ｓ…店舗
１…スマートフォン
２…クーポン管理サーバー
３…サービス提供端末
４…中継装置
５…通信ネットワーク
６…無線基地局
１１…無線インターフェース
１２…入力インターフェース
１３…出力インターフェース
１３ａ…表示部
１４…アプリケーション実行部
１４ａ…表示制御部
１４ｂ…動作制御部
１４ｃ…表示データ生成部
１４ｄ…スケジュール管理部
１４ｅ…データ管理部
１４ｆ…店舗情報取得部
１４ｇ…地図情報取得部
１４ｈ…クーポンホルダー取得部
１４ｉ…クーポンスケジュール設定部
１４ｊ…クーポン管理部
１５…メモリ
１５ａ…地図データベース
１５ｂ…スケジュールデータベース
１５ｃ…クーポンホルダーデータベース
２１…制御部
２２…記憶部
２３…通信インターフェース
３１…バーコードリーダー
１２１…スケジュール記憶部
１２２…データ蓄積部
１４１ａ…座標取得部
１４１ｂ…データ検索部
２１２…店舗情報配信部
２１３…クーポン発行部
２１４…利用情報取得部
２１５…消込処理部
２１６…同期処理部
２２１…店舗情報データベース
２２２…クーポンホルダーデータベース
２２３…ユーザー情報データベース
３１２…出力インターフェース
３１２ａ…表示部
３１３…入力インターフェース
３１３ａ…テンキー
３２１…通信インターフェース
３２２…利用情報通知部
３２３…メモリ
３２４…制御部
３２４ａ…クーポン管理部
３２４ｂ…駆動制御部
４０２…カレンダーＵＩ
４０４…月日部分
４０５…グリッド
４０６…月日部分
【図１】
2018045605.tif 000003
【図２】
2018045605.tif 000004
【図３】
2018045605.tif 000005
【図４】
2018045605.tif 000006
【図５】
2018045605.tif 000007
【図６】
2018045605.tif 000008
【図７】
2018045605.tif 000009
【図８】
2018045605.tif 000010
【図９】
2018045605.tif 000011
【図１０】
2018045605.tif 000012
【図１１】
2018045605.tif 000013
【図１２】
2018045605.tif 000014
【図１３】
2018045605.tif 000015
【図１４】
2018045605.tif 000016